(57)【要約】【課題】容易に取り付け可能なプール用水の流出防止装置を提供する。【解決手段】プール用水の流出防止装置２０は、プールの側溝よりも内側に立てられる堰き止め板１と、支え板２と、堰き止め板１と支え板２とを結合し、堰き止め板１に対して支え板２を折り畳み可能に支持する蝶番３とを備える。支え板２は、堰き止め板１と交差して設けられ、堰き止め板１を支える支え部材２ａと、支え部材２ａを側溝の蓋であるグレーチングに固定する固定部材２ｂとからなる。【選択図】図１
0003153975.tif 000002
【実用新案登録請求の範囲】
【請求項１】
プールの側溝又はそれよりも内側に立てられる堰き止め板と、
前記堰き止め板と交差して設けられ、前記堰き止め板を支える支え部材とを備える、プール用水の流出防止装置。
【請求項２】
請求項１に記載のプール用水の流出防止装置であってさらに、
前記堰き止め板と前記支え部材とを結合し、前記堰き止め板に対して前記支え部材を折り畳み可能に支持する結合部材を備える、プール用水の流出防止装置。
【請求項３】
請求項１又は２に記載のプール用水の流出防止装置であってさらに、
前記支え部材を前記側溝又はその蓋に固定する固定部材を備える、プール用水の流出防止装置。
【考案の詳細な説明】
【技術分野】
【０００１】
本考案は、プール用水の流出防止装置に関し、さらに詳しくは、プールから側溝に大量の水が流出するのを防止するためのプール用水の流出防止装置に関する。
【背景技術】
【０００２】
プールは一般に、競泳、シンクロナイズドスイミング、アクアエクササイズなど、様々な目的で使用されている。しかし、プールの使用者等がプール内に飛び込んだり、プール内で激しく運動したりすると、大量の水が溢れ出し、プール周りの側溝を通じて排出されてしまう。したがって、節水のためには、プールから流出する水の量を削減することが好ましい。
【０００３】
特開２００１−１１５６７１号公報（特許文献１）には、プールサイドに流出した水をプール内に戻すことができるプール側溝カバーが開示されている。このプール側溝カバーは、プールサイドに配置され、そこに飛散した水を排水する側溝を覆うカバーであって、このカバーが丸パイプを半割りにした断面Ｕ字状の半円筒状に形成された板材である。
【０００４】
しかしながら、このプール側溝カバーは、「グレーチング」と呼ばれる溝蓋と側溝の内側との間に形成される両方の小さい隙間にプール側溝カバーの両端を挿入しなければならない。そのため、取り付けに多くの時間を要してしまうという問題がある。また、このプール側溝カバーは半円筒状をなしているので、収納時にかさばるという問題もある。また、このプール側溝カバーは半円筒状をなしているので、プールから飛散した水がプール側溝カバーを越えてしまいやすいという問題もある。また、このプール側溝カバーは側溝を完全に覆うので、プールから飛散した水がプール側溝カバーを越えてしまうと、プールサイドが水浸しになりやすいという問題もある。
【先行技術文献】
【特許文献】
【０００５】
【特許文献１】特開２００１−１１５６７１号公報
【考案の概要】
【考案が解決しようとする課題】
【０００６】
本考案の目的は、容易に取り付け可能なプール用水の流出防止装置を提供することである。
【課題を解決するための手段及び考案の効果】
【０００７】
本考案によるプール用水の流出防止装置は、堰き止め板と、支え部材とを備える。堰き止め板は、プールの側溝又はそれよりも内側に立てられる。支え部材は、堰き止め板と交差して設けられ、堰き止め板を支える。
【０００８】
本考案によれば、堰き止め板をプールの側溝又はそれよりも内側に立てるだけでよいので、プール用水の流出防止装置を容易に取り付けることができる。
【０００９】
好ましくは、プール用水の流出防止装置はさらに、結合部材を備える。結合部材は、堰き止め板と支え部材とを結合し、堰き止め板に対して支え部材を折り畳み可能に支持する。
【００１０】
この場合、堰き止め板に対して支え部材を折り畳むことができるので、収納時にかさばらない。
【００１１】
好ましくは、プール用水の流出防止装置はさらに、固定部材を備える。固定部材は、支え部材を側溝又はその蓋に固定する。
【００１２】
この場合、支え部材を側溝又はその蓋に固定することにより、プールから溢れ出した水の圧力等でプール用水の流出防止装置が移動してしまうのを防止することができる。
【図面の簡単な説明】
【００１３】
【図１】本考案の実施の形態によるプール用水の流出防止装置の構成を示す斜視図である。
【図２】図１に示したプール用水の流出防止装置の使用方法を示す断面図である。
【図３】図１に示したプール用水の流出防止装置を収納するために折り畳んだ状態を示す平面図である。
【考案を実施するための形態】
【００１４】
以下、図面を参照し、本考案の実施の形態を詳しく説明する。図中同一又は相当部分には同一符号を付してその説明は繰り返さない。
【００１５】
図１を参照して、本考案の実施の形態によるプール用水の流出防止装置２０は、１枚の堰き止め板１と、２枚の支え板２とを備える。堰き止め板１及び支え板２は、たとえば樹脂又は金属製である。
【００１６】
堰き止め板１は、プールの側溝よりも内側に立てられる。堰き止め板１は、水平方向に長いほぼ長方形をなしている。堰き止め板１の上側両角は尖っておらず、丸みを帯びている。
【００１７】
各支え板２は、堰き止め板１に対してほぼ垂直に取り付けられる。各支え板２は、支え部材２ａと、２つの固定部材２ｂとから構成される。支え部材２ａ及び固定部材２ｂは１枚の板から一体的に形成される。支え部材２ａは、堰き止め板１と交差して設けられ、堰き止め板１を支える。固定部材２ｂは、支え部材２ａを側溝の蓋であるグレーチングに固定する。
【００１８】
支え部材２ａは、水平方向に長いほぼ長方形をなしている。支え部材２ａの上側外側の１角は尖っておらず、丸みを帯びている。各固定部材２ｂは、支え部材２ａの幅よりも十分に小さい幅を有し、支え部材２ａから下方へ突出して設けられる。
【００１９】
本実施の形態では支え板２は堰き止め板１の片側に設けられているが、堰き止め板１の両側に設けられてもよい。また、本実施の形態では支え板２は２枚設けられているが、１枚だけ設けられていてもよく、また、３枚以上設けられていてもよい。また、本実施の形態では固定部材２ｂは２つ設けられているが、１つだけ設けられていてもよく、また、３つ以上設けられていてもよい。また、本実施の形態では固定部材２ｂの幅は支え部材２ａの幅よりも小さいが、支え部材２ａの幅と同じでもよい。
【００２０】
プール用水の流出防止装置２０はさらに、２つの蝶番３を備える。蝶番３は、堰き止め板１と支え板２（の支え部材２ａ）とを結合し、堰き止め板１に対して支え板２を内側に折り畳み可能に支持している。図１には１つの蝶番３のみが示され、もう１つの蝶番はもう１つの支え板２に隠れて現れていない。
【００２１】
次に図２を参照して、プール用水の流出防止装置２０の使用方法を説明する。
【００２２】
プールの水を溜める貯水部５の周りには、貯水部５から溢れ出した水を排出するための側溝７が設けられる。側溝７はグレーチング８で蓋される。グレーチング８は、格子状をなす樹脂製又は鉄製の蓋である。グレーチング８は、複数枚の長方形の横板９と、２本の連結棒１０とから構成される。複数枚の横板９は側溝７が延びる方向に並べられ、側溝７に掛け渡される。連結棒１０は複数枚の横板９に串刺しされる。これにより、複数の横板９は互いに連結される。グレーチング８と側溝７の間には、小さい隙間６がある。
【００２３】
堰き止め板１は、プールの側溝７に沿って側溝７よりも内側に立てられる。固定部材２ｂは、グレーチング８の横板９のうち互いに隣接する任意の２枚の間であって２本の連結棒１０の間に差し込まれる。これにより、支え板２は側溝２をまたぐように立てられる。
【００２４】
本実施の形態によれば、プールの貯水部５から溢れ出した水は堰き止め板１で堰き止められ、貯水部５に戻る。したがって、側溝７を通じて排出される水の量が削減される。また、グレーチング８の横板９の間隔は、グレーチング８と側溝７との隙間６に比べ非常に大きい。そのため、プール用水の流出防止装置２０を容易に取り付けることができる。
【００２５】
また、グレーチング８に固定された支え板２が堰き止め板１を支えているので、流出した水の圧力等でプール用水の流出防止装置２０が移動してしまうのを防止することができる。また、特開２００１−１１５６７１号公報に開示された半円筒状のプール側溝カバーと異なり、堰き止め板１が直立しているので、プールから飛散した水は堰き止め板１を越えにくい。また、プールから飛散した水が堰き止め板１を越えたとしても、側溝７を通じて排出されるので、プールサイドが水浸しになりにくい。
【００２６】
本実施の形態では堰き止め板１は側溝７よりも内側に立てられているが、側溝７とグレーチング８との隙間６に差し込まれてもよい。
【００２７】
次に図３を参照して、プール用水の流出防止装置２０の収納方法を説明する。
【００２８】
支え板２は蝶番３で堰き止め板１と結合されているので、蝶番３を支点にして支え板２を堰き止め板１と重ね合わすように折り畳むことができる。そのため、プール用水の流出防止装置２０は収納時にかさばらない。
【００２９】
本実施の形態では支え板２はそれぞれ内側に折り畳まれるが、蝶番３を外側に取り付け、支え板２がそれぞれ外側に折り畳まれるようにしてもよい。また、本実施の形態では２枚の支え板２は重なり合わないように折り畳まれるが、重なり合うように折り畳まれてもよい。
【００３０】
また、本実施の形態では蝶番３を使用しているが、蝶番３を使用せず、堰き止め板１及び支え板２が樹脂製の場合はそれらを接着したり、金属製の場合はそれらを溶接したりしてもよい。この場合、支え板２は堰き止め板１に固定され、折り畳まれない。
【００３１】
また、本実施の形態では支え板２を使用しているが、支え板２の代わりに支え棒を使用してもよい。この場合、堰き止め板１と支え棒とを結合し、堰き止め板１に対して支え棒を折り畳み可能に支持する結合部材として、蝶番３の代わりにパイプを使用し、支え棒の一方端部を折り曲げ、その一方端部をパイプに差し込むようにしてもよい。さらに、支え棒の他方端部にフックを取り付け、そのフックで支え棒をグレーチング８に固定するようにしてもよい。
【００３２】
また、本実施の形態では支え部材２ａをグレーチング８に固定する固定部材２ｂを設けているが、支え部材２ａを側溝７に直接固定する固定部材を設けてもよい。
【００３３】
以上、本考案の実施の形態を説明したが、上述した実施の形態は本考案を実施するための例示に過ぎない。よって、本考案は上述した実施の形態に限定されることなく、その趣旨を逸脱しない範囲内で上述した実施の形態を適宜変形して実施することが可能である。
【符号の説明】
【００３４】
１  堰き止め板
２  支え板
２ａ  支え部材
２ｂ  固定部材
３  蝶番
７  側溝
８  グレーチング
２０  プール用水の流出防止装置
【図１】
0003153975.tif 000003
【図２】
0003153975.tif 000004
【図３】
0003153975.tif 000005